(57)【要約】本発明はマルチコイルワイヤレス給電装置に関し、この装置は、第１の共振タンクに接続可能な第１のワイヤレス給電回路と、第２の共振タンクに接続可能な第２のワイヤレス給電回路とを備え、第１の共振タンクは第１の周波数で誘導エネルギーを伝送するように構成され、第２の共振タンクは第２の周波数で誘導エネルギーを伝送するように構成される。第１の共振タンクは、第２の誘導エネルギーコイルがアクティブである場合、第２の周波数に同調することができる。本発明はさらに、装置及びコンピュータプログラム製品に関する。【選択図】図６
2016523071.tif 000002
【特許請求の範囲】
【請求項１】
第１の共振タンクに接続可能な第１のワイヤレス給電回路であって、前記第１の共振タンクは、第１の誘導エネルギーコイル、周波チューナ、共振モードスイッチ、及び給電モードスイッチを備え、第１の周波数で誘導エネルギーを伝送するように構成される、前記第１のワイヤレス給電回路と；  
第２の共振タンクに接続可能な第２のワイヤレス給電回路であって、前記第２の共振タンクは、第２の誘導エネルギーコイルを備え、前記第１の周波数と異なる第２の周波数で誘導エネルギーを伝送するように構成され、前記第２のワイヤレス給電回路と；  
どのコイルがアクティブであるかを決定するように構成される制御ロジック回路と；
を備える装置であって、前記第２の誘導エネルギーコイルがアクティブであると決定される場合、前記共振モードスイッチは、前記第１の共振タンクを前記第２の周波数に同調させるように構成され、前記給電モードスイッチは、前記第１の誘導エネルギーコイルを前記第１のワイヤレス給電回路から切断するように構成される、装置。
【請求項２】
前記第１のコイルがアクティブであると前記制御ロジック回路が決定した場合、前記共振モードスイッチは、前記第１の共振タンクの前記第２の周波数への同調を無効にするように構成され、前記給電モードスイッチは、誘導エネルギーを伝送するために、前記第１の誘導エネルギーコイルと前記第１のワイヤレス給電回路との間の電気接続を有効にするように構成される、請求項１に記載の装置。
【請求項３】
前記第２の共振タンクは、第２の共振モードスイッチ及び第２の給電モードスイッチを更に備える、請求項１または２に記載の装置。
【請求項４】
前記第１のコイルがアクティブであると前記制御ロジック回路が決定した場合、前記第２の共振モードスイッチは、前記第２の共振タンクを前記第１の周波数に同調させるように構成され、前記第２の給電モードスイッチは、前記第２の誘導エネルギーコイルを前記第２のワイヤレス給電回路から切断するように構成される、請求項３に記載の装置。
【請求項５】
前記第２のコイルがアクティブであると前記制御ロジック回路が決定した場合、前記第２の共振モードスイッチは、前記第２の共振タンクの前記第１の周波数への同調を無効にするように構成され、前記第２の給電モードスイッチは、誘導エネルギーを伝送するために、前記第２の誘導エネルギーコイルと前記第２のワイヤレス給電回路との間の電気接続を有効にするように構成される、請求項３又は４に記載の装置。
【請求項６】
前記第１及び第２のワイヤレス給電回路の少なくとも１つがワイヤレス給電レシーバ回路であり、前記制御ロジックは、前記ワイヤレス給電レシーバ回路からアクティブ標示情報を受け取ることに基づいて、どのコイルがアクティブであるかを決定するように構成される、請求項１から５の何れかに記載の装置。
【請求項７】
前記制御ロジック回路は、前記ワイヤレス給電レシーバ回路にアクティブ標示情報の要求を送信するように構成される、請求項６に記載の装置。
【請求項８】
前記周波チューナはコンデンサを備える、請求項１から７の何れかに記載の装置。
【請求項９】
携帯電話機である、請求項１から８の何れかに記載の装置。
【請求項１０】
マルチモードワイヤレス充電装置のアクティブ誘導エネルギーコイルを決定することであって、前記マルチモードワイヤレス充電装置は、第１の共振タンク、前記第１の共振タンクに接続可能な第１のワイヤレス給電回路、及び第２の共振タンクを備え、前記第１の共振タンクは、第１の誘導エネルギーコイル、第１の周波チューナ、共振モードスイッチ、及び給電モードスイッチを備え、前記第１の誘導エネルギーコイルは、第１の周波数で誘導エネルギーを伝送するように構成され、前記第２の共振タンクは、第２の誘導エネルギーコイルを備え、前記第２の誘導エネルギーコイルは、前記第１の周波数と異なる第２の周波数で誘導エネルギーを伝送するように構成される、前記決定することと；
前記第２の誘導エネルギーコイルがアクティブであると決定される場合、前記共振モードスイッチによって、前記第１の共振タンクを前記第２の周波数に同調させ、前記給電モードスイッチによって、前記第１の誘導エネルギーコイルを前記第１のワイヤレス給電回路から切断することと；
を含む、方法。
【請求項１１】
前記第１の誘導エネルギーコイルがアクティブであると決定される場合、前記共振モードスイッチによって、前記第１の共振タンクの前記第２の周波数への同調を無効にし、前記給電モードスイッチによって、誘導エネルギーを伝送するために、前記第１の誘導エネルギーコイルと第１のワイヤレス充電レシーバ回路との間の電気接続を有効にすることを更に含む、請求項１０に記載の方法。
【請求項１２】
前記第２の共振タンクは、前記第２の共振タンクに接続可能な第２のワイヤレス給電回路、第２の共振モードスイッチ及び第２の給電モードスイッチを更に備え、  
前記第１の誘導エネルギーコイルがアクティブであると決定される場合、前記第２の共振モードスイッチによって、前記第２の共振タンクを前記第１の周波数に同調させ、前記第２の給電モードスイッチによって、前記第２の誘導エネルギーコイルを前記第２のワイヤレス給電回路から切断することと
を更に含む、請求項１０又は１１に記載の方法。
【請求項１３】
前記第２の誘導エネルギーコイルがアクティブであると決定される場合、前記第２の共振モードスイッチによって、前記第２の共振タンクの前記第１の周波数への同調を無効にし、前記第２の給電モードスイッチによって、誘導エネルギーを受け取るために、前記第２の誘導エネルギーコイルの間の電気接続を有効にすることを更に含む、請求項１２に記載の方法。
【請求項１４】
前記第１及び第２のワイヤレス給電回路の少なくとも１つがワイヤレス給電レシーバ回路であり、前記アクティブコイルの決定は、前記ワイヤレス給電レシーバ回路からアクティブ標示情報を受け取ることに基づいている、請求項１０から１３の何れかに記載の方法。
【請求項１５】
前記周波チューナはコンデンサを備える、請求項１０から１４の何れかに記載の方法。
【請求項１６】
装置の処理手段に実行されると、前記装置に、請求項１０から１５のいずれかに記載の方法を遂行させるように構成されるプログラム命令を備える、コンピュータプログラム。
【請求項１７】
マルチモードワイヤレス充電装置のアクティブ誘導エネルギーコイルを決定する手段を備える装置であって、
前記マルチモードワイヤレス充電装置は、第１の共振タンク及び第２の共振タンクを備え、
前記第１の共振タンクは、第１の周波数で誘導エネルギーを伝送する手段、同調手段、給電手段、共振モードスイッチ手段、及び給電モードスイッチ手段を備え、
前記第２の共振タンクは、前記第１の周波数と異なる第２の周波数で誘導エネルギーを伝送する手段を備え、
前記共振モードスイッチ手段は、前記第２の周波数で誘導エネルギーを伝送する手段がアクティブであると決定される場合、前記第１の共振タンクを前記第２の周波数に同調させ、前記給電手段を無効にするように構成される、
装置。
【発明の詳細な説明】
【背景】
【０００１】
電磁誘導は、長い間周知であり、多くのアプリケーションで使用されている。電磁誘導において、時間変動磁束（time-varying magnetic flux）は、導体閉ループに対して起電力を誘導する。反対に、時間変動電流（time-varying current）は変動磁束を発生させる。変圧器ではこの現象を利用し、誘導結合されたコイルを介して、回路から他のものに無線でエネルギー伝送をする。一次コイルは交流電流を変動磁束に変換し、この変動磁束が二次コイルを流れるように編成される。さらに、変動磁束は二次コイルを通じて交流電圧を誘導する。入出力電圧の比率は、一次コイルと二次コイルの巻き数で調整することができる。
【０００２】
ワイヤレス充電（ＷＬＣ）は、電磁誘導を利用して無線でエネルギー伝送をするもう一つのアプリケーションである。ワイヤレス充電システムは、一次コイルを備える充電器と、二次コイルを備える被充電機器とを備える。充電器内の電流は、こうした電磁結合されたコイルを通じ、前述の被充電機器に伝送される。そして、誘導電流は更に処理をされ、前述の被充電機器のバッテリを充電するのに使われる。エネルギーは誘導結合を通じ充電器から被充電機器に伝送される。被充電機器は伝送されたエネルギーをバッテリ充電に使用してもよく、電力として直接使用してもよい。
【０００３】
携帯電子機器等の携帯デバイスにおける最近の傾向は、誘導充電機能である。ワイヤレス充電機能を有するデバイスは有線でデバイスを充電器に繋ぐ必要がなく、様々な環境でワイヤレス充電器を電源として使用することができる。しかし、ワイヤレス充電機能を有するデバイスを誘導充電器で誘導充電する場合、どのデバイスに対しても任意の充電器を使用できるというわけではない。すなわち、ワイヤレス充電送信機はワイヤレス充電受信機と同じ周波数／規格を用いなくてはならない。 
【摘要】
【０００４】
本発明は、概してワイヤレス充電システムに関連するものであり、ここでは、電磁場がワイヤレスエネルギー伝送に利用される。ワイヤレス充電システムは、例えば、電磁誘導手段でエネルギー伝送するために相互に結合された１組のコイルを備える。具体的には、本発明はマルチコイルワイヤレス給電装置に関する。本発明の種々の態様には、独立請求項に記載されている事項を特徴とする方法や装置、コンピュータプログラムを格納するコンピュータ可読媒体が含まれる。また、本発明の様々な実施形態が従属請求項に示されている。
【０００５】
本発明の第１の態様によれば、次の装置、即ち、第１の共振タンクに接続可能な第１のワイヤレス給電回路であって、前記第１の共振タンクは、第１の誘導エネルギーコイル、周波チューナ、共振モードスイッチ、及び給電モードスイッチを備え、第１の周波数で誘導エネルギーを伝送するように構成される、前記第１のワイヤレス給電回路と； 
第２の共振タンクに接続可能な第２のワイヤレス給電回路であって、前記第２の共振タンクは、第２の誘導エネルギーコイルを備え、前記第１の周波数と異なる第２の周波数で誘導エネルギーを伝送するように構成され、前記第２のワイヤレス給電回路と； 
どのコイルがアクティブであるかを決定するように構成される制御ロジック回路とを備える装置であって、
前記第２の誘導エネルギーコイルがアクティブであると決定される場合、前記共振モードスイッチは、前記第１の共振タンクを前記第２の周波数に同調させるように構成され、前記給電モードスイッチは、前記第１の誘導エネルギーコイルを前記第１のワイヤレス給電回路から切断するように構成される、装置が提供される。
【０００６】
実施形態によっては、前記第１のコイルがアクティブであると前記制御ロジック回路が決定した場合、前記共振モードスイッチは、前記第１の共振タンクの前記第２の周波数への同調を無効にするように構成され、前記給電モードスイッチは、誘導エネルギーを伝送するために、前記第１の誘導エネルギーコイルと前記第１のワイヤレス給電回路との間の電気接続を有効にするように構成される。実施形態によっては、前記第２の共振タンクは、第２の共振モードスイッチ及び第２の給電モードスイッチを更に備える。実施形態によっては、前記第１のコイルがアクティブであると前記制御ロジック回路が決定した場合、前記第２の共振モードスイッチは、前記第２の共振タンクを前記第１の周波数に同調させるように構成され、前記第２の給電モードスイッチは、前記第２の誘導エネルギーコイルを前記第２のワイヤレス給電回路から切断するように構成される。実施形態によっては、前記第２のコイルがアクティブであると前記制御ロジック回路が決定した場合、前記第２の共振モードスイッチは、前記第２の共振タンクの前記第１の周波数への同調を無効にするように構成され、前記第２の給電モードスイッチは、誘導エネルギーを伝送するために、前記第２の誘導エネルギーコイルと前記第２のワイヤレス給電回路との間の電気接続を有効にするように構成される。実施形態によっては、前記第１及び第２のワイヤレス給電回路の少なくとも１つがワイヤレス給電レシーバ回路であり、前記制御ロジックは、前記ワイヤレス給電レシーバ回路からアクティブ標示情報を受け取ることに基づいて、どのコイルがアクティブであるかを決定するように構成される。実施形態によっては、制御ロジック回路は、前記ワイヤレス給電レシーバ回路にアクティブ標示情報の要求を送信するように構成される。実施形態によっては、前記周波チューナはコンデンサを備える。実施形態によっては、前記装置が携帯電話機である。
【０００７】
本発明の第２の態様によれば、次の方法、即ち、マルチモードワイヤレス充電装置のアクティブ誘導エネルギーコイルを決定することであって、前記マルチモードワイヤレス充電装置は、第１の共振タンク、前記第１の共振タンクに接続可能な第１のワイヤレス給電回路、及び第２の共振タンクを備え、前記第１の共振タンクは、第１の誘導エネルギーコイル、第１の周波チューナ、共振モードスイッチ、及び給電モードスイッチを備え、前記第１の誘導エネルギーコイルは、第１の周波数で誘導エネルギーを伝送するように構成され、前記第２の共振タンクは、第２の誘導エネルギーコイルを備え、前記第２の誘導エネルギーコイルは、前記第１の周波数と異なる第２の周波数で誘導エネルギーを伝送するように構成される、前記決定することと；
前記第２の誘導エネルギーコイルがアクティブであると決定される場合、前記共振モードスイッチによって、前記第１の共振タンクを前記第２の周波数に同調させ、前記給電モードスイッチによって、前記第１の誘導エネルギーコイルを前記第１のワイヤレス給電回路から切断することと
を含む、方法が提供される。
【０００８】
実施形態によっては、前記方法は、前記第１の誘導エネルギーコイルがアクティブであると決定される場合、前記共振モードスイッチによって、前記第１の共振タンクの前記第２の周波数への同調を無効にし、前記給電モードスイッチによって、誘導エネルギーを伝送するために、前記第１の誘導エネルギーコイルと第１のワイヤレス充電レシーバ回路との間の電気接続を有効にすることを更に含む。実施形態によっては、前記第２の共振タンクは、前記第２の共振タンクに接続可能な第２のワイヤレス給電回路、第２の共振モードスイッチ及び第２の給電モードスイッチを更に備え、前記方法は、前記第１の誘導エネルギーコイルがアクティブであると決定される場合、前記第２の共振モードスイッチによって、前記第２の共振タンクを前記第１の周波数に同調させ、前記第２の給電モードスイッチによって、前記第２の誘導エネルギーコイルを前記第２のワイヤレス給電回路から切断することとを更に含む。
実施形態によっては、前記方法は、前記第２の誘導エネルギーコイルがアクティブであると決定される場合、前記第２の共振モードスイッチによって、前記第２の共振タンクの前記第１の周波数への同調を無効にし、前記第２の給電モードスイッチによって、誘導エネルギーを受け取るために、前記第２の誘導エネルギーコイルの間の電気接続を有効にすることを更に含む。実施形態によっては、前記第１及び第２のワイヤレス給電回路の少なくとも１つがワイヤレス給電レシーバ回路であり、前記アクティブコイルの決定は、前記ワイヤレス給電レシーバ回路からアクティブ標示情報を受け取ることに基づいている。実施形態によっては、制御ロジック回路は、前記ワイヤレス給電レシーバ回路にアクティブ標示情報の要求を送信するように構成される。実施形態によっては、前記周波チューナはコンデンサを備える。
【０００９】
本発明の第３の態様によれば、次のコンピュータプログラム製品、即ち、コンピュータプログラムコードを備える非一時的コンピュータ可読媒体に具現化される、コンピュータプログラム製品であって、前記コンピュータプログラムコードは、少なくとも１つのプロセッサで実行されると、装置に： 
前記装置のアクティブ誘導エネルギーコイルを決定することであって、前記マルチモードワイヤレス充電装置は、第１の共振タンク、前記第１の共振タンクに接続可能な第１のワイヤレス給電回路、及び第２の共振タンクを備え、前記第１の共振タンクは、第１の誘導エネルギーコイル、第１の周波チューナ、共振モードスイッチ、及び給電モードスイッチを備え、前記第１の誘導エネルギーコイルは、第１の周波数でエネルギーを伝送するように構成され、前記第２の共振タンクは、第２の誘導エネルギーコイルを備え、前記第２の誘導エネルギーコイルは、前記第１の周波数と異なる第２の周波数で誘導エネルギーを伝送するように構成される、前記決定することと； 
前記第２の誘導エネルギーコイルがアクティブであると決定される場合、前記共振モードスイッチによって、前記第１の共振タンクを前記第２の周波数に同調させ、 前記給電モードスイッチによって、前記第１の誘導エネルギーコイルを前記第１のワイヤレス給電回路から切断することと；
を実行させるように構成される、コンピュータプログラム製品が提供される。
【００１０】
本発明の第３の態様によれば、次の装置、即ち、マルチモードワイヤレス充電装置のアクティブ誘導エネルギーコイルを決定する手段であって、前記マルチモードワイヤレス充電装置は、第１の共振タンク及び第２の共振タンクを備え、前記第１の共振タンクは、第１の周波数で誘導エネルギーを伝送する手段、同調手段、給電手段、共振モードスイッチ手段、及び給電モードスイッチ手段を備え、前記第２の共振タンクは、前記第１の周波数と異なる第２の周波数で誘導エネルギーを伝送する手段を備える、前記決定する手段を備える装置であって、前記第２の誘導エネルギーコイルがアクティブであると決定される場合、前記共振モードスイッチ手段は、 前記第１の共振タンクを前記第２の周波数に同調させ、前記給電手段を無効にするように構成される、装置が提供される。
【図面の簡単な説明】
【００１１】
本発明に関する種々の実施形態は、添付の図面を参照して以下で詳しく説明する。
【図１】例示的実施形態に従う、マルチスタンダードＷＬＣレシーバの構造を示す。
【図２】例示的実施形態に従う、複数の標準ＷＬＣレシーバ構成を示す。
【図３ａ】例示的実施形態に従う、共振タンクの共振コイルを備える携帯デバイスの背面図を示す。
【図３ｂ−３ｄ】例示的実施形態に従う、図３ａの携帯デバイスの側面図を示す。
【図４ａ】例示的実施形態に従う、共振タンクの共振コイルを備える携帯デバイスの背面図を示す。
【図４ｂ−４ｄ】例示的実施形態に従う、図４ａの携帯デバイスの側面図を示す。
【図５】例示的実施形態に従う、マルチモードＷＬＣレシーバの構造を示す。
【図６】例示的実施形態に従う、マルチレシーバＷＬＣ装置の充電方法のフローチャートを示す。
【例示的実施形態の説明】
【００１２】
以下では、本発明の幾つかの実施形態について、充電器から誘導エネルギーを受け取る装置の文脈で説明する。こうした誘導エネルギーを受け取る装置は携帯デバイスであって、例えば携帯電話機、モバイルコンピュータ、モバイル協同機器（mobile collaboration device）、モバイルインターネット機器、スマートフォン、タブレット型コンピュータ、タブレット型パソコン（ＰＣ）、電子手帳、携帯用ゲーム機、ポータブルメディアプレーヤー、デジタルスチルカメラ（ＤＳＣ）、デジタルビデオカメラ（ＤＶＣ、デジタル・カムコーダー）、ページャー、小型カーナビゲーション装置（ＰＮＤ）等のデバイスでもよい。あるいは、誘導結合又は磁気共鳴を用いて又はそれによって、即ち誘導エネルギーリンクでエネルギーを受け取るのに適したあらゆる他のデバイスでもよい。ただし、本発明は携帯デバイスのみに限定されるものではないことに留意されたい。実際に、デバイスが誘導によりエネルギーを受け取るためのワイヤレス充電レシーバコイル構成を必要とするようなあらゆる環境で、様々な実施形態が幅広く適用されうる。ワイヤレス充電レシーバコイル構成は、誘導エネルギーレシーバコイルと、コンデンサ等の周波チューナとを備える。この誘導エネルギーレシーバコイルとコンデンサは、相互に接続されると、誘導エネルギーを受け取り可能な電気共振器として動作できる共振タンクを形成する。本発明の実施形態によっては、ワイヤレス充電レシーバコイル構成を概括して共振タンクと呼んでもよい。
【００１３】
磁気共鳴ベースのワイヤレス電力伝送システムにおけるＷＬＣトランスミッタ及びＷＬＣレシーバの各々には、伝送周波数で共振する共振器が具備される。ＷＬＣトランスミッタの共振器とＷＬＣレシーバの共振器の共振周波数が同じである場合、エネルギー伝送効率は最大となる。ワイヤレス充電規格はそれぞれ異なる周波数で動作し得るため、マルチスタンダードＷＬＣデバイスには、各規格に対応する専用ソフトウェア又はハードウェアが具備されてもよい。例えば、種々の規格に従って誘導エネルギーを伝送する、即ち送ったり受け取ったりするように構成された複数のコイル構成があってもよい。ＷＬＣレシーバでは、共振タンク構造が共振器として動作してもよい。共振タンクは、周波チューナと、誘導エネルギーレシーバコイルである、ループコイル等の平面コイル構成とを備えてもよい。各共振タンクは、特定の周波数で動作する誘導エネルギーレシーバとして動作してもよい。そして、各共振タンクはエネルギーを受け取るのにも適している。すなわち、充電器であって、そのＷＬＣトランスミッタが、共振タンクの特定の周波数に対応する伝送周波数で共振するような充電器によって充電されるのに適している。こうして、共振タンクを備える携帯デバイスは、適切な充電規格、即ち、特定の共振タンクに対応する共振周波数を持つ充電器によって充電することができる。ＷＬＣレシーバを備えるデバイスを、例えば１００ｋＨｚと６．７８ｋＨｚの２つの異なる周波数で動作させるために、即ち、２つの異なる規格に従うワイヤレス給電の受け取りに対応させるために、１つのＷＬＣレシーバに２つの別々の共振器、即ち２つの別々の共振タンクが実装されてもよい。当然ながら、追加構造のためには更なる空間とコストが必要となる。２つ以上のＷＬＣ共振タンクを備えるＷＬＣレシーバは、マルチスタンダードＷＬＣレシーバ又はマルチコイルワイヤレス給電装置と呼ばれる。
【００１４】
２つ以上のＷＬＣ共振タンクを備えるマルチスタンダードＷＬＣレシーバは、同時に２つ以上の周波数でそれぞれ動作することができる。実装によっては、別々の規格／周波数でワイヤレス電力伝送動作を行うために、各タンクが別々に使用され、共同利用されることはない。これは、ワイヤレス給電を受けるために使用中のタンク、即ちアクティブなタンクのみがバッテリ充電ＩＣ等の給電回路に接続され、他の１つ又は複数のタンクは、アクティブ充電タンクに対する寄生負荷を防ぐために回路から切断されることを意味する。しかし、マルチスタンダード構造による追加の空間とコストのために、こうした構造を利用することが好ましいだけでなく、マルチスタンダードＷＬＣレシーバが多周波充電機能を有するという利点にも繋がる。
【００１５】
したがって、本発明の実施形態によっては、無線エネルギー伝送を行っていないタンクである非アクティブ共振タンクをマルチスタンダードＷＬＣレシーバの給電回路から単に切断する代わりに、非アクティブ共振タンクを追加共振器として使用してもよい。追加共振器は、デフォルトでは対応する規格毎に別々の周波数に同調される。本発明の実施形態によっては、マルチスタンダードＷＬＣレシーバの充電効率を改善するために、こうした非アクティブ共振タンクがアクティブ共振器の周波数に同調されるようにすることができる。これを可能にするために、マルチスタンダードＷＬＣレシーバ構造は、アクティブタンクの周波数への同調を有効／無効にする共振モードスイッチと、非アクティブタンクの充電機能を有効／無効にする給電モードスイッチとを備える。給電モードではＷＬＣレシーバがエネルギー充電の代わりにエネルギーを直接使うことになる点に留意されたい。例えば、２つの異なる共振タンクを持つマルチスタンダードＷＬＣレシーバを備えたデバイスでは、第１のタンクは、第２のタンク（アクティブタンク）の周波数への同調を有効／無効にする共振モードスイッチと、充電機能を有効／無効にする給電モードスイッチとを備える。第１のタンクの共振モードスイッチ（有効状態とする）とコンデンサは、第１のタンクの共振タンク周波数を規定する。同期整流回路の一部として実装され得る給電モードスイッチ（無効状態とする）は、第１の共振タンクを給電チェーンから切断するアイソレータとして動作する。それ故、給電モードスイッチが無効状態で共振モードスイッチが有効状態である場合、第１のタンクが第２のタンクの周波数に同調させられ、それにより、追加共振器において第２のタンクのアクティブ充電コイルを貫く磁束が増加するようになる。第２のタンクのアクティブ充電コイルを貫く磁束の増加により、充電効率が高められる。こうして、本発明の実施形態では、非アクティブ共振タンクを、給電回路に接続されたアクティブ共振タンクに磁束を導く高Ｑ値磁界レンズとして利用することによって、磁界受信特性を最適化することができる。この種のスイッチ構造を有する共振タンクは、マルチモード共振タンクとも呼ばれる。
【００１６】
以上のように、本発明の実施例とは、第２の共振タンクがアクティブであるとき、即ち充電のためにエネルギーを受け取っているときに、携帯デバイスの第１のマルチモード共振タンクを第２の共振タンクの共振周波数に同調することである。携帯デバイスは、どの共振タンクがアクティブであるかと、どのタンクが無効になり追加共振器として使用されるべきであるかを決定する制御ロジックを備えてもよい。制御ロジックは、ＷＬＣレシーバであって、そのレシーバが対応する特定の規格に充電信号が従っているかを決定できるＷＬＣレシーバに接続されてもよい。レシーバの１つが自身に対する有効な充電信号があると決定した場合、制御ロジック（又は、アクティブＷＬＣレシーバ）は、非アクティブＷＬＣレシーバの共振タンク回路において共振モードを有効にしてもよい。共振モードの有効化には、非アクティブ共振タンクをＷＬＣレシーバ回路から切断することと、追加コンデンサ又は他の同調手段を非アクティブＷＬＣレシーバの共振タンクに接続することとの何れか又は両方が含まれてもよい。しかし、２つの共振タンクがあって、一方のタンクがアクティブ状態である場合にそのタンクの周波数に同調させることができる共振モードスイッチと、もう一方のタンクが非アクティブタンクである場合、即ち一方のタンクがアクティブ状態である場合に電力伝送を無効にする給電モードスイッチとを、両共振タンクが備えることも可能である。加えて、２より多い、即ち３以上の共振タンクが共振モードスイッチと給電モードスイッチを備え、共振モードスイッチは非アクティブ共振タンクをアクティブ共振タンクの周波数に同調させることができるが、給電モードスイッチは同じ非アクティブタンクの電力伝送を無効にするということも可能である。 
【００１７】
本発明のある例示的実施形態とその可能性のある利点は、添付の図１から図６を参照して理解されよう。
【００１８】
図１は、例示的実施形態に従う、マルチスタンダードＷＬＣレシーバの構造１００を示している。マルチスタンダードＷＬＣレシーバ構造１００は２つの共振タンク１０１・１０２、即ち、２つの異なる周波数で動作するように構成されるワイヤレス充電レシーバを備える。第１の共振タンク１０１はいわゆるマルチモード共振タンクであって、共振モードスイッチ１０３と給電モードスイッチ（図示せず）、加えてコイル１０４、コンデンサ１０５を備える。コンデンサ１０５は、別の周波チューナに変えられてもよい。共振モードスイッチ１０３のオンモードでは、第１の共振タンク１０１が非アクティブで、第２の共振タンクがアクティブである場合、第１の共振タンク１０１の共振モードスイッチ１０３は、第１の共振タンク１０１の第２の共振タンクの周波数への同調を有効にする。共振タンク１０２の同調は、例えばコイル１０４の両端にコンデンサ１０５を接続することによって行われてもよい。コイル１０４の一部のみを共振させることも可能である。この場合、共振は第２のタンク１０２の周波数である。第１のタンク１０１の共振タンク周波数は、共振モードスイッチ１０３のオンモードにおける共振モードスイッチ１０３とコンデンサ１０５によって定義されてもよい。さらに、第１の共振タンク１０１がアクティブで、第２の共振タンクが非アクティブである場合、又はその何れかである場合、第１の共振タンク１０１の共振モードスイッチ１０３は、オフモードとなるように命令され、同調は無効になる。制御ロジック回路１２０は、どのコイルがアクティブであるかと、どのコイルが無効になりアクティブコイルのための追加共振器として使用されるべきかを決定してもよい。制御ロジック回路１２０は、共振モードスイッチ１０３と給電モードスイッチのオン／オフモードを制御してもよい。
【００１９】
給電モードスイッチは、例えば同期整流回路１０９の一部でもよく、給電モードスイッチとして動作する専用アクティブスイッチでもよい。給電モードスイッチは、第１の共振タンク１０１がアクティブで第２の共振タンク１０２が非アクティブである場合、オンモード、即ち、第１の共振タンク１０１と第１のワイヤレス給電レシーバ回路（ＷＬＣ  ＲＸ  ＩＣ１）１２１との間の電気接続を有効にするように命令される。さらに、オフモード、即ち、第１の共振タンク１０１が非アクティブで第２の共振タンク１０２がアクティブである場合、給電モードスイッチは第１のワイヤレス充電レシーバ回路から第１の共振タンク１０１を切断することによって、充電機能、即ち電力伝送を無効にする。こうして、共振タンク１０１は寄生負荷としては動作しないか、共振タンク１０１によって生じる寄生負荷は、アクティブな第２の共振タンク１０２に対して減らされる。第２の共振タンク１０２は、コイル１６とコンデンサ１７を備え、同期整流回路１０８に接続されている。 
【００２０】
図２は、例示的実施形態に従う、マルチスタンダードＷＬＣレシーバの構造２０を示している。構造２０は、両方のタンク２１・２２が共振モードスイッチ２３・２４と給電モードスイッチ（図示せず）、加えてコイル２５・２６、コンデンサ２７・２８を備えるという点で、構造１００とは異なる。したがってこの場合、タンク２２がアクティブ状態のときは、タンク２１が磁束を共振タンク２２に導く高Ｑ値磁界レンズとして用いられ、タンク２１がアクティブ状態のときは、タンク２２が磁束を共振タンク２１に導く高Ｑ値磁界レンズとして用いられる。 
【００２１】
図３ａは、例示的実施形態に従う、共振タンクの誘導エネルギーレシーバコイルを備える携帯デバイス３０の背面図を示している。この実施形態では、コイル３１・３２は平面を形成し、平面の法線は平行である。すなわち、コイル３１の法線はコイル３２の法線と平行である。そして、上から見ると、即ち、法線方向（Ｚ方向）では、コイル３２はコイル３１を取り囲んでいる。しかし、コイル３１・３２は同一平面に配置されてもよく（図３ｂ参照）、部分的に同一平面に配置されたり（図３ｃ参照）、携帯３０内部の別の平面に配置されたりしてもよい（図３ｄ参照）。ここで、携帯デバイス３０の全ての部分が図示されているわけではない。
【００２２】
図３ｂは、例示的実施形態に従う、図３ａの携帯デバイス３０の側面図を示している。この実施形態では、両方のコイル３１・３２は同一平面上にあって、コイル３２はコイル３１を取り囲んでいる。 
【００２３】
図３ｃは、例示的実施形態に従う、図３ａの携帯デバイス３０の側面図を示している。この実施形態では、コイル３１・３２は一部が同一平面上にあって、コイル３２はコイル３１を一部取り囲んでいる。 
【００２４】
図３ｄは、例示的実施形態に従う、図３ａの携帯デバイス３０の側面図を示している。この実施形態では、コイル３１・３２は一部が別の平面にある。 
【００２５】
図４ａは、例示的実施形態に従う、共振タンクの誘導エネルギーレシーバコイルを備える携帯デバイス４０の背面図を示している。この実施形態では、コイル４１・４２は平面を形成し、平面の法線は平行である。すなわち、コイル４１の法線はコイル４２の法線と平行である。実施形態４ｂ−４ｄでは、上から見ると、即ち、法線方向（Ｚ方向）では、コイル４１・４２は重なり合わない。すなわち、コイル４１はコイル４２の隣にある。しかし、コイル４１・４２は同一平面に配置されてもよく（図４ｂ参照）、部分的に同一平面に配置されたり（図４ｃ参照）、別の平面に配置されたりしてもよい（図４ｄ参照）。ここで、携帯デバイス４０の全ての部分が図示されているわけではない。
【００２６】
図５は、電子装置５０、即ちマルチスタンダードＷＬＣレシーバの実施例を示している。この装置は２つの共振タンク、即ちワイヤレス充電レシーバを備え、第１の共振タンクは第１の誘導エネルギーコイル５１を備え、第２のタンクは第２の誘導エネルギーコイル５２を備える。第１のタンクは第１の充電規格に対応する。すなわち、第１のタンクのコイル５１は、第１の周波数で誘導エネルギーを受け取るように構成される。そして、第２のタンクは第２の充電規格に対応する。すなわち、第２のタンクのコイル５２は、第１の周波数とは異なる第２の周波数で誘導エネルギーを受け取るように構成される。加えて、タンク構造は、周波チューナと、共振モードスイッチ及び給電モードスイッチを備えるスイッチ構造（図示せず）とを備えてもよい。これらのスイッチは電気式スイッチでも機械式スイッチでもよい。さらに、装置５０は、どのコイルがアクティブであるかと、どのコイルが無効になり、アクティブコイルのための追加共振器として使用されるべきかを決定する制御ロジック回路５３を備える。タンクが、特定の規格に従ってワイヤレス充電器（図示せず）が伝送する充電信号に対応する場合、そのタンクが具備するコイルがアクティブになってもよい。制御ロジック回路５３は、ＷＬＣ  ＲＸ  ＩＣ１  ５６及びＷＬＣ  ＲＸ  ＩＣ２  ５７等のワイヤレス充電レシーバ回路に接続されてもよい。ワイヤレス充電レシーバ回路５６・５７は、コイル５２・５３に接続されてもよい。ＷＬＣレシーバ回路の１つが自身に対する有効な充電信号があると決定した場合、制御ロジック回路５３（換言するとアクティブＷＬＣレシーバ回路）は、非アクティブＷＬＣレシーバの共振タンク回路において共振モードを有効にしてもよい。共振モードの有効化には、非アクティブコイルをＷＬＣ回路から切断することと、追加コンデンサを非アクティブコイルの共振タンクに接続することとの何れか又は両方が含まれてもよい。装置５０は更に、スイッチ構造を制御するのに使用されるコンピュータプログラムコードを格納するよう構成されるメモリ５４と、装置の機能を実行するためにプログラムコードを実行するプロセッサ５５とを備える。加えて装置は、コイルに電力を供給するように構成される給電回路を備える。
【００２７】
一方、コイル５１・５２の他にもＷＬＣ二次コイルが存在してもよい。装置５０は更に、ユーザに充電過程を知らせる１つ又は複数のＬＥＤ（図示せず）を有していてもよい。装置５０は更に、一つまたは複数の物理的なボタン、または、一つまたは複数のタッチスクリーンボタンを有していてもよい。装置５０はキーパッドを備えていてもよい。このキーパッドは、タッチスクリーンのキーパッドとしてのディスプレイ上、または、物理的なキーパッドとしての装置５０の筐体上に備えられる（図示せず）。装置５０は更に、音声の送受信をするためにマイクやスピーカ（図示せず）を備えることもできる。装置５０は通信インターフェースを備えることもできる（図示せず）。この通信インターフェースは、装置５０を無線ネットワーク及び／または有線ネットワークを介して別の機器に接続するように構成され、上記無線ネットワーク及び／または有線ネットワークによってデータを受信及び／または送信することができる。装置５０はさらに、ユーザインターフェースの表示等を提供するためのディスプレイ及び入出力要素を備えることもできる。さらに装置５０は、「充電が完了しました」等、充電状況に関するユーザへの音声メッセージを提供するスピーカを備えてもよい。 
【００２８】
図６は、例示的実施形態に従う、マルチスタンダードＷＬＣレシーバ装置の充電方法６０のフローチャートを示している。図６に記載された機能は、例えばマルチスタンダードＷＬＣ給電装置の制御ロジック回路に実装されてもよい。この実施例におけるマルチスタンダードＷＬＣレシーバ装置は、複数のワイヤレス充電レシーバ回路（ＷＬＣ  ＲＸ）を備え、各ＷＬＣ  ＲＸは特定の規格に特化しており、これらのＷＬＣ  ＲＸはそれぞれに適切な充電信号の存在を決定することができる。開始ステップ６１で、マルチスタンダードＷＬＣレシーバ装置の給電モードスイッチは有効、同じマルチスタンダードＷＬＣレシーバ装置の共振モードスイッチは無効である。ステップ６２で、制御ロジック回路は、複数のＷＬＣ  ＲＸに対してアクティブ標示情報を要求する、即ちそうした要求を送信し、複数のＷＬＣ  ＲＸからアクティブ標示情報を受信する。ＷＬＣ  ＲＸは、アクティブ情報を制御ロジックに伝送し、制御ロジックはそれに従って動作してもよい。（ステップ６３で）アクティブＷＬＣ  ＲＸが存在する場合、ステップ６４で、複数の非アクティブＷＬＣ  ＲＸのワイヤレス給電モードスイッチが無効になる。（ステップ６３で）アクティブＷＬＣ  ＲＸが存在しない場合、この方法はステップ６２戻る。ステップ６５で、複数の非アクティブＷＬＣ  ＲＸのワイヤレス共振モードスイッチが有効になる。ステップ６４と６５の間、マルチスタンダードＷＬＣレシーバ装置はエネルギーを受け取っている。ステップ６６で、充電が完了したかが確認される。未だ完了していない場合、マルチスタンダードＷＬＣレシーバ装置はＷＬＣエネルギーの受け取りを継続する。完了の場合、ステップ６７で、複数の非アクティブＷＬＣ  ＲＸの共振モードスイッチが無効になり、ステップ６８で、複数の非アクティブＷＬＣ  ＲＸの給電モードスイッチが有効になる。図６の動作はワイヤレス充電装置の文脈で記述されていたが、当然ながらこうした動作は、受け取ったエネルギーを直接負荷に供給するのにも使用することができる。
【００２９】
共振タンクで使用されるコイルはそれぞれ異なっていてもよい。例えば、コイルにはリッツコイル線及び／又は直径の異なるコイル線を用いることもできる。例えば、第１のコイルのコイル線は第２のコイルのコイル線よりも細くてもよい。これは即ち、充電されるべきデバイスにおける別々の共振タンクのコイルがそれぞれ異なる厚みを持てることを意味する。あるいは、コイルがそれぞれ別々のコイル巻き数を持つこともできる。さらに、コイルの形状と直径は、充電されるべきデバイスにおける共振タンク毎にそれぞれ異なっていてもよい。ただし、例えば直径の異なるコイル線が使われる場合でも、コイルの形状と直径はコイル同士で同じにすることもできる。上から見ると、即ち、法線方向では、コイルは一部が重なっていてもよいことに留意すべきである。すなわち、第１のコイルが第２のコイルと一部重なっていてもよい。したがって、コイルの形状と大きさは、これまで示されてきた実施形態に限定されない。本発明の例示的実施形態をマルチモード充電レシーバの文脈で説明してきたが、本発明は、マルチモードワイヤレス充電トランスミッタにおいても等しく適用可能である。すなわち、マルチモードＷＬＣ構造は、エネルギーをワイヤレスで伝送する、即ち受け取ったり送ったりするのに使用することができる。
【００３０】
本発明の実施形態は、本明細書に紹介したものに限定されるものではないことは当然であり、請求項の範囲内で様々に変形されうるものであることは明らかである。
【図６】
2016523071.tif 000003
【図１】
2016523071.tif 000004
【図２】
2016523071.tif 000005
【図３ａ】
2016523071.tif 000006
【図３ｂ−３ｄ】
2016523071.tif 000007
【図４ａ】
2016523071.tif 000008
【図４ｂ−４ｄ】
2016523071.tif 000009
【図５】
2016523071.tif 000010
【国際調査報告】
2016523071.tif 000011
2016523071.tif 000012
2016523071.tif 000013